(57)【要約】      （修正有）【課題】脱水層の内壁にワンタッチで簡単に装着して、トラップした毛を簡単迅速綺麗に除去することができる堅牢で簡単構造の毛除去具を備えた洗濯機を提供する。【解決手段】脱水槽１０１の内壁１０２において、毛除去具２００を設け、前記毛除去具２００は、本体の一側端２００ａを水槽内の反水流方向１０３側に位置させて脱水槽１０１の内壁１０２に着脱手段により装着し、他側端２００ｂを水槽内の水流方向１０５側に位置させ、表面に多数の突起２０１を設け、この突起２０１の先端を水槽内の反水流方向１０３側に向け、前記突起２０１は下端の長軸長さを１〜３ｍｍ、突起高さを１〜４ｍｍ好ましくは１．５〜２ｍｍにし、本体に対する垂線から水槽内の反水流方向１０３に３０〜７５°傾斜させたフック形状にしたことを特徴とする洗濯機１００。【選択図】図１
0003184668.tif 000002
【実用新案登録請求の範囲】
【請求項１】
脱水槽（１０１）の内壁（１０２）において、毛除去具（２００）を設け、前記毛除去具（２００）は、本体（２００Ｈ）の一側端（２００ａ）を水槽内の反水流方向（１０３）側に位置させて脱水槽（１０１）の内壁（１０２）に着脱手段（２１０）により装着し、他側端（２００ｂ）を水槽内の水流方向（１０５）側に位置させてフリーにし、本体（２００Ｈ）の表面に多数の突起（２０１）を設け、この突起（２０１）の先端（２０２）を水槽内の反水流方向（１０３）側に向けたことを特徴とする洗濯機（１００）。
【請求項２】
前記突起（２０１）は下端直径を１〜３ｍｍ、突起高さを１〜４ｍｍ好ましくは１．５〜２ｍｍにし、本体２００Ｈに対する垂線から水槽内の反水流方向（１０３）に３０〜７５°傾斜させたフック形状にしたことを特徴とする請求項１に記載の洗濯機（１００）。
【考案の詳細な説明】
【技術分野】
【０００１】本考案は、犬、猫等のペットの専用グッズ衣服及びペットを扱うペット美容師が着用するエプロンやスラックス、スカート、ソックス等の衣服を洗濯する際に、衣服に付着した毛を洗濯中に効率良く除去する機能をもたせた器具を有する洗濯機に関する。
【背景技術】
【０００２】最近のペットブームでペットの数は増加し、登録されている国内の犬猫の飼育数は約２１６８万頭に上がると言われており、これは、１５才未満の子供の数１８６０万人を大きく上回るほどになっている。そして、核家族化の傾向が強まる中で、ペットも家族の一員として扱われる傾向が強くなっている。それにつれ、ペット用品だけでなく、ペット保険、ペットシッター等人間並みのサービスも加熱ぎみである。【０００３】犬、猫等のペットを扱うペット美容師が、着用するエプロンやスラックス、スカート、ソックス等の衣服には、カットした毛、シャンプーした毛、押さえたり抱いたり等の扱い中に抜ける毛等が多く付着する。
またペット専用の衣類、敷物、マット、タオル等のペット用品も同様に多くの抜け毛が付着している。
ペットは毛が抜けることが年に数回と多く、ペット用品に付着した毛が洗濯槽に付着することが多く、その後に洗濯をすると、家族の人の衣類に毛が再付着することが多い。【０００４】このように動物の毛が付着したペットやペット美容師の衣服は、毛払い刷毛などで除去するが多くはなめし毛の為多く残る。
通常この付着毛が残留したまま洗濯をして除去手段を用いて、更に除去を図るが、脱水後の衣服に多少残り指先で一本一本除いて綺麗にしなければならない煩雑さを伴う。【０００５】＜従来技術＞
前記除去手段としては一般に、脱水槽に、水流口に設けるフィルターとしてのネット袋、網袋、布袋、或いは洗濯水と共に浮遊させる起毛ボール浮遊カプセル等がある。【０００６】  例えば、特許文献１の特開２０１１−５０７０９号公報では「水流を通すカプセル状の容器内に面ファスナー等の起毛材を形成した浮体ボールを衣類と共に回転させ洗濯槽内の糸くず等をボール表面の起毛材に付着させて除去する」発明を紹介している。
また、特許文献２の特開２００１−７０６９４号公報には「循環透過手段に循環ポンプと洗濯水に混在する糸屑及び毛羽などを除去する糸屑採集手段を設けた」発明が紹介されている。
特許文献３の特開平１１−５７２８７号公報には「脱水槽の壁面に水流口としての開口部を形成しこの開口部に濾過用網体を有するフィルタケースを着脱可能に取り付け洗濯用水に混在された毛や糸くずを濾過する」発明が紹介されている。
【先行技術文献】
【特許文献】
【０００７】
【特許文献１】特開２０１１−５０７０９号公報
【特許文献２】特開２００１−７０６９４号公報
【特許文献３】特開平１１−５７２８７号公報
【考案の概要】
【考案が解決しようとする課題】
【０００８】しかし前記にご紹介した何れの発明も課題がある。
特許文献１の発明は、浮体ボールが衣類と共に回転するため洗濯水との接触に限界があり十分な除去効果が得られなく且つ汚れやすい、また洗濯物内に混入するため脱水後に洗濯物と一緒に分離しなければならない、また浮体ボールから付着毛を除去しなければならない等の甚だ煩雑な作業が待っている。
特許文献２の発明は、洗濯水の循環ポンプ機構と循環経路内へのフイルター設置と複雑で費用の掛かる洗濯機となる。一方フイルターは循環水通路内の為細密なメッシュ化は避けなければならず粗篩いの効果しか期待できなく、毛が残留し且つ汚れやすい。また当該フイルターの交換も大変である。
また特許文献３の発明は、脱水槽の壁面を開口加工して、フィルタケースを着脱可能に取り付け、これに濾過用網体を裏返し可能に取り付ける複雑なものであり、その交換作業が煩雑であり、濾過用網体を裏返しての濾過物の除去作業も大変である。【０００９】本考案は、脱水槽の内壁を加工することなく、内壁にワンタッチで簡単に装着して洗濯水のすべての水流に接触し、しかも汚れずに綺麗さを維持しながら、特に微細なペットの毛はトラップして離さず、しかも洗濯後はワンタッチで簡単にとりはずして、トラップした毛を簡単迅速綺麗に除去することができる堅牢で簡単構造の毛除去具を備えた洗濯機を提供する。
【課題を解決するための手段】
【００１０】本考案は、前記目的を全て達する優れた効果を有する洗濯機であり、その特徴とするところは次の（１）の通りである。【００１１】（１）、脱水槽（１０１）の内壁（１０２）において、毛除去具（２００）を設け、前記毛除去具（２００）は、本体（２００Ｈ）の一側端（２００ａ）を水槽内の反水流方向（１０３）側に位置させて脱水槽（１０１）の内壁（１０２）に着脱手段（２１０）により装着し、他側端（２００ｂ）を水槽内の水流方向（１０５）側に位置させてフリーにし、本体（２００Ｈ）の表面に多数の突起（２０１）を設け、この突起（２０１）の先端（２０２）を水槽内の反水流方向（１０３）側に向けたことを特徴とする洗濯機（１００）。
（２）、前記突起（２０１）は下端直径を１〜３ｍｍ、突起高さを１〜４ｍｍ好ましくは１．５〜２ｍｍにし、本体２００Ｈに対する垂線から水槽内の反水流方向（１０３）に３０〜７５°傾斜させたフック形状にしたことを特徴とする前記（１）に記載の洗濯機（１００）。
【考案の効果】
【００１２】本考案の洗濯機は、脱水槽の内壁にワンタッチで簡単に装着して、突起のすべてを洗濯水の水流に接触し、しかも汚れずに綺麗さを維持しながら、特に微細なペットの毛をトラップして離さず、しかも洗濯後は突起でトラップした毛等をワンタッチで簡単迅速綺麗に除去することができる堅牢で簡単構造の毛除去具を備えたものである。
すなわち、前記毛除去具は、一側端を反水流方向に位置させ、他側端を水流方向側でフリーにして置くことにより全ての水流との接触により水流方向側面で水槽内壁と離間・接近搖動して、表面の突起で混入毛を確実にトラップして離さないのである。【００１３】  これにより犬、猫等のペットの専用グッズ衣服及びペットを扱うペット美容師が着用するエプロンやスラックス、スカート、ソックス等の衣服の洗濯は、衣服に付着した毛を洗濯中に効率良く略完全に除去して残毛の無いいつも清潔な衣類を着用することを実現したものである。
【図面の簡単な説明】
【００１４】
【図１】脱水槽の内壁に毛除去具を装着した洗濯機の概要斜視説明図である。
【図２】毛除去具の本体における突起の配置例を示す平面（脱水槽の内壁に取りつけたら正面となる面）説明図であり、（１）は突起配列例１で（２）は突起配列例２を示す。また（３）は（１）の矢視Ａ−Ａから見た断面明図ある。
【図３】突起２０１の形状例を示す斜視図であり、（１）は形状例１を示し、（２）は形状例２を示し、（３）は形状例３を示し、（４）は形状例４を示し、（５）は形状例５を示す。
【図４】本体を脱水槽の内壁にワンタッチで接続する着脱手段の実施態様例（１）〜（４）を紹介する説明図である。
【考案を実施するための形態】
【００１５】本考案を実施するための形態は、次の実施例により詳細に説明する。
【実施例１】
【００１６】本実施例１を図１〜図４にて紹介する。
図１と図２において、本例の洗濯機１００は、脱水槽１０１の内壁１０２において、毛除去具２００を単数又は対面関係等で複数個を配置する。脱水槽１０１の回転角度１８０度毎に配置した対面配置で十分な効果が得られるが、これに限定する必要はなく脱水槽１０１の容量等に応じて、上下に単数段又は複数段又は円周方向の適宜な等しい回転角度感覚で配置すればよい。【００１７】前記毛除去具２００は、洗濯物を損傷させることなく安全でしかも毛などを効率良くトラップする条件として、本体２００Ｈの材質を弾性可撓性のある人工ゴム製、天然ゴム製、プラスチック等の合成樹脂製で板状に成形したもので縦１００〜１２０ｍｍ×横４０〜６０ｍｍ×厚１．５〜５．０ｍｍにしたものである。【００１８】本体２００Ｈは、一側端２００ａを水槽内の反水流方向１０３側に位置させて脱水槽１０１の内壁１０２に着脱可能に装着し、他側端２００ｂを、水槽内の水流方向１０５側にフリーで位置させる。【００２０】そして本体２００Ｈは、表面に、多数の突起２０１を図２の（１）に示すように先端を水槽内の反水流方向１０３側に向けて好ましくは千鳥状に固定配置する。或いは図２の（２）に示すように、先端２０２を水槽内の反水流方向１０３側に斜めに向けて千鳥状に固定配置する。あるいはこれ等の配置を適宜組み合わせて配置するなどの例が揚げられる。【００２１】前記突起２０１は、洗濯物を損傷させることなく安全でしかも毛などを効率良くトラップする条件として、本体と同一材質で下端の長軸を１〜４ｍｍ、短軸も１〜４ｍｍ、突起高さを１〜４ｍｍ好ましくは１．５〜２ｍｍにし、本体２００Ｈに対する垂線から一側端２００ａ側につまり水槽内の反水流方向１０３に３０〜７５°傾斜させたフック形状にしている。【００２２】つまりこの突起２０１の傾斜しているトラップ面２０１ｘが傾斜側からくる流水中の主に毛をトラップ（捕える）して離さないのである。
またトラップした毛を傾斜側に引くと簡単に離脱して除去できるという優れた作用効果を呈するのである。【００２３】突起２０１の形状例を図３に示す。図３の（１）は変形円錐状のツノ（角）形状にした突起２０１−１であり、トラップ面２０１ａが湾曲面タイプであり、図３の（２）は、トラップ面２０１ｂを凸凹状の波を付与した突起２０１−２であり、図３の（３）は、トラップ面２０１ｃを鋭角にした突起２０１−３であり、図３の（４）はトラップ面２０１ｄを湾曲に（くの字の鍵型でも良い）した突起２０１−４であり、図３の（５）は本体２００Ｈの表面部を掘り起こして曲げ形成した突起２０１−５である。トラップ面の形状はこれ等の形状に限ることはなく、流水中の毛をトラップ可能な形状で有れば各種の類似形状を適宜に想定して形成すれば良い。【００２４】  また本体２００Ｈは、前記のように水流で弾性変形可能にし、その一側端２００ａを水槽内の反水流方向１０３側に位置させ、他端２００ｂをフリーにして、脱水槽１０１の内壁１０２の脱水穴１０４或いは内壁に着脱可能に装着しているので、本体２００Ｈの表面と水流との接触により該フリー側が水槽内壁と離間・接近搖動して、表面の突起を搖動させる。
この本体２００Ｈの搖動により流水中の毛に対する突起２０１のトラップチャンスが満遍なく全突起に与えられる。【００２５】つまり当該搖動させる理由は、当該搖動が無い場合は、最先端の突起２０１に多くの毛がトラップされてその後方の突起２０１には毛がトラップされ難く逃げてしまう。このため最先端とその近傍の突起２０１にある程度の毛がトラップされると毛の除去効果が劣ってくるからである。【００２６】而して、毛除去具２００の本体２００Ｈを脱水槽１０１の一側端部２００ａを内壁１０２に取り付けるには簡単な構造の着脱手段２１０を用いる。
着脱手段例としては次の具体例を紹介する。
（１）、図４（１）に示すように、本体２００Ｈの当該一側端部２００ａと一体的にその裏面に当該脱水穴１０４に弾性変形して押し込み可能なボタン２１０Ａを当該穴の配置間隔で形成したもの。
（２）、図４（２）に示すように、脱水穴１０４に挿出入可能で穴裏面に先端部を圧接するバネ機能を持たせた金属製或いは樹脂製などで形成したフック２１０Ｂを当該穴１０４の配置間隔で取り付けピン２１０Ｂ−１で取り付けしたもの。このフック２１０Ｂは当該穴１０４の裏に当接する先を水流方向１０５に向ける横刺しタイプであるが縦刺しタイプの何れでも良い。
（３）、図４（３）に示すように、本体２００Ｈの当該一側端部２００ａの裏面に永久磁石２１０Ｃを所定間隔で形成し、水槽内壁面に、永久磁石２１０Ｃと同じ間隔で磁性金属板２１０Ｃ−１を接着配置したものである。
（４）、図４（４）に示すように、本体２００Ｈの当該一側端部２００ａの裏面に吸盤２１０Ｄを所定間隔で設置し、水槽内壁面に、吸盤２１０Ｄを吸着させて配置したものである。【００２７】以上の構成により本例の洗濯機は、堅牢で簡単構造の毛除去具を脱水槽の内壁にワンタッチで簡単に装着して、犬、猫等のペットの専用グッズ衣服及びペットを扱うペット美容師が着用するエプロンやスラックス、スカート、ソックス等の衣服の洗濯中は、これら洗濯物を損傷させることなく突起のすべてを洗濯水の水流に接触させ、しかも毛除去具は汚れずに綺麗さを維持しながら、特に微細なペットの毛や糸くずも効率良くトラップして離さず、しかも洗濯後は突起でトラップした毛等をワンタッチで簡単迅速綺麗に除去することができた。このため脱水した洗濯物は損傷が全く無く、且つ洗濯物への毛の残着もなくきれいで清潔な衣類に仕上げることができた。
【産業上の利用可能性】
【００２８】  本考案は前記した優れた作用効果を呈するものである。このため、ペット美容業界に対して作業環境の改善、ペット美容作業の高効率化、安全性の確保等に貢献すること極めて多大なものがある。
【符号の説明】
【００２９】１００：洗濯機
１０１：脱水槽
１０２：内壁
１０３：反水流方向
１０５：水流方向
２００：毛除去具
２００Ｈ：本体
２００ａ：一側端
２００ｂ：他側端
２０１、２０１−１〜２０１−５：突起
２１０：着脱手段
２０２：先端
【図１】
0003184668.tif 000003
【図２】
0003184668.tif 000004
【図３】
0003184668.tif 000005
【図４】
0003184668.tif 000006